(57)【特許請求の範囲】
【請求項１】
骨材として貝殻を用いた魚礁・増殖礁などに用いる漁場施設用コンクリート成形体の成形方法であって、枠体の底部に金属製の網体を張設したベース材と、このベース材の周縁から立ち上がる網体からなる側枠とで上面を開口したコンクリート型枠を形成し、このコンクリート型枠に貝殻を充填するとともに、コンクリート型枠を吊り上げてコンクリート型枠の下部を固化剤に浸漬させることによって、コンクリート型枠内の貝殻と前記ベース材とを一体化した後、残った貝殻に固化剤を吹き付けてコンクリート型枠に充填された前記貝殻を一体化し、コンクリート型枠の側枠を固化した貝殻から引き離すことによって、前記貝殻が表面側に表れるとともに、内部に前記貝殻の隙間によって多数の空洞部を有する多孔質状のコンクリート成形体を成形してなることを特徴とする漁場施設用コンクリート成形体の成形方法。
【発明の詳細な説明】
【０００１】
【発明の属する技術分野】
本発明は、多毛類，小型甲殻類及び魚類のための魚礁・増殖礁などに好適な漁場施設用コンクリート成形体およびその成形方法に関する。
【０００２】
【発明が解決しようとする課題】
近年、沿岸漁場での水産資源の保護育成を図るために漁場の整備が行われるようになってきている一方、廃棄物処理の問題からカキ類などの貝殻のリサイクルが要求されるようになってきており、カキ類の貝殻を魚礁や増殖礁としてリサイクル使用することが行われている。
【０００３】
このような魚礁・増殖礁にカキなどの貝殻を用いたものとしては、例えば、特開平６−１４１７２７号、特公平６−７７４９３号及び特開平７−２３６３８５号公報等に開示されているように網体にカキ等の貝殻を充填し、貝殻の隙間に多毛類，小型甲殻類等を繁殖させる増殖礁としての人工魚礁用集魚ケースがある。
【０００４】
また、特開平８−１４０５０２０号公報には、カキ殻を固化剤で固化させた魚礁用ブロックも提案されている。
【０００５】
このような従来から魚礁・増殖礁にカキなどの貝殻を用いたものが種々提案されているが、特開平６−１４１７２７号、特公平６−７７４９３号及び特開平７−２３６３８５号公報等に開示される人工魚礁用集魚ケースは、単に通水性ケースにカキ殻を充填した構造であるため、重量が不足し、これを潮流が速い海域や波浪の大きな海域に設置した場合、早期に流されてしまい継続的に設置しておくことが困難である。
【０００６】
この点、特開平８−１４０５０２０号公報の魚礁用ブロックは、カキ殻をコンクリートなどの固化剤で固化させることで、波浪エネルギーに対抗できる重量を確保でき、潮流が速い海域あるいは波浪の大きな海域でも長期に渡って安定状態を保って設置することができる。
【０００７】
ところで、カキ殻を固化する固化剤としてコンクリートを用いてブロックを成形する場合、通常この種のコンクリート製ブロックの成形には、コンクリート型枠にコンクリートを充填する方法が最も一般的である。しかし、コンクリート型枠を用いて前述したカキ殻を含むコンクリート製ブロックを成形する場合、コンクリート型枠に骨材としてカキ殻を充填した後、カキ殻を固化するコンクリートを充填しても成形時のコンクリートは流動性を有しているため、コンクリート型枠に応じた形状に形成される。すなわち、ブロックの表面はコンクリート型枠の内壁に応じた平坦的な形状となるから、ブロック内にカキ殻が埋設されているとしても、そのブロックの表面は実質的にカキ殻が表れにくい。このため、カキ貝による複雑な凹凸形状によって多毛類，小型甲殻類等を繁殖させるという増殖礁としての効果が低い、という問題があった。
【０００８】
本発明は上記課題に基いてなされたものであり、カキなどの貝殻のリサイクル使用が可能であり、貝殻による複雑な凹凸形状によって多毛類，小型甲殻類等の繁殖効果が高い漁場施設用成コンクリート成体体及びその成形方法を提供することを目的とする。
【０００９】
【課題を解決するための手段】
本発明の請求項１記載の漁場施設用コンクリート成形体の成形方法は、骨材として貝殻を用いた魚礁・増殖礁などに用いる漁場施設用コンクリート成形体の成形方法であって、枠体の底部に金属製の網体を張設したベース材と、このベース材の周縁から立ち上がる網体からなる側枠とで上面を開口したコンクリート型枠を形成し、このコンクリート型枠に貝殻を充填するとともに、コンクリート型枠を吊り上げてコンクリート型枠の下部を固化剤に浸漬させることによって、コンクリート型枠内の貝殻と前記ベース材とを一体化した後、残った貝殻に固化剤を吹き付けてコンクリート型枠に充填された前記貝殻を一体化し、コンクリート型枠の側枠を固化した貝殻から引き離すことによって、前記貝殻が表面側に表れるとともに、内部に前記貝殻の隙間によって多数の空洞部を有する多孔質状のコンクリート成形体を成形してなるものである。このため、成形体の表面には貝殻が露出して凹凸部が形成されるので、この空間が魚類の生息域となるため、魚礁・増殖礁として機能することができる。また、コンクリート型枠に充填した貝殻に固化剤を吹き付ける際、コンクリート型枠の下部、特にコンクリート型枠の下面側は、吹き付け難くなるが、コンクリート型枠の下部及び下面を固化剤に浸漬させて固化させた後、固化剤を吹き付けることで、固化剤の吹き付け作業が容易となる。さらに、コンクリート成形体の下部がベース材によって補強され、コンクリート成形体を設置した際の安定性もよい。
【００１０】
【発明の実施形態】
以下、本発明の第１実施例について図１〜図５を参照して説明する。本実施例の漁場施設用コンクリート成形体１（以下、単に成形体１と称す）はブロック状であり、その外周面に多くの貝殻２が露出して凹凸部３が形成されるとともに、各貝殻２をコンクリートペーストＰにより接合してこれらの隙間に多数の空洞部４が形成されている。これら各貝殻２間の空洞部４は、配列、形状、大きさ等に規則性がないため、この空洞部４は複雑に入り組んだ迷路状となり、海藻類が着生したり多毛類，小型甲殻類等が増殖しやすくなっている。
【００１１】
図３に示すように、前記成形体１を成形するコンクリート型枠10は、枠体11の底部に金属製の網体12を張設して構成されるベース材13と、このベース材13の周縁から立ち上がる４枚の側枠14とを備えて有底箱型に形成さている。また、側枠14は、コンクリート型枠10の型締め時にベース材13の周縁に配置し、これら側枠14を連結するものである。なお、この側枠14は前記ベース材13の網体13と同様、金属製の網体15によって構成されている。また、前記ベース材13の周縁には、枠体11の上縁から僅かに突出するように複数の金属製線材16が格子状に固着されている。
【００１２】
前記成形体１は、前記コンクリート型枠10に骨材としてカキの貝殻２を充填し、これを固化剤としてコンクリートペーストＰで固化する。この成形体１の成形に際して、まず、図３に示すように、ベース材13の周縁に側枠14を立設し、ベース材13と側枠14及び隣接する側枠14を図示しないクランプ手段などによって固定し、コンクリート型枠10を型締めしする。そして、図４（Ａ）に示すように、コンクリート型枠10に貝殻２を充填した後、コンクリート型枠10を吊上げて、コンクリート型枠10に充填した貝殻２をコンクリートペーストに浸漬させる。この時、コンクリートペーストにはコンクリート型枠10に充填した貝殻全体のほぼ２／３程度の深さまでコンクリート型枠10を浸漬させる。これにより、図４（Ｂ）に示すように、コンクリート型枠10の下部に充填された貝殻２がコンクリートペーストＰによって固化される。この時、それらの貝殻２とコンクリート型枠10のベース材13とが一体化される。こうして、コンクリート型枠10に下部に充填された貝殻２とベース材13とをコンクリートペーストに固化させた後、図４（Ｃ）に示すように、コンクリート型枠10の上部に充填される貝殻２にコンクリートペーストＰを吹き付ける。この時、コンクリート型枠10は地上に載置した状態でコンクリートペーストを吹き付けるから、コンクリート型枠10の下部、特にコンクリート型枠10の下面側は、コンクリートペーストの吹き付けが困難である。しかし、前述した通り、コンクリート型枠10の下部及び下面は、予めコンクリートペーストＰに浸漬させて固化されているため、コンクリートペーストの吹き付けが容易なコンクリート型枠10の上層部分についてのみコンクリートペーストを吹き付ければよいから、作業的にも楽に行える。このように、コンクリート型枠10に充填した貝殻２にコンクリートペーストＰを吹き付け、コンクリートペーストＰを固化させて貝殻２を結合する。この後、図４（Ｄ）に示すように、コンクリート型枠10の側枠14を固化した貝殻２から引き離すことによって、図１に示すように、貝殻２が表面に露出したブロック状の成形体１が成形される。これにより、露出した貝殻２によって表面に凹凸部３が成形されるとともに、内部には各貝殻２間に多数の空洞部４を有する多孔質状の成形体１を成形される。
【００１３】
次に本実施例の成形体１の利用方法について説明する。本実施例の成形体１は、適当な深さの海底に複数積み重ねるようにして沈設することにより魚礁や増殖礁として用いたり、図５に示すように、コンクリート製の人工魚礁20の上部に収容枠21を支える鉄骨構造の鋼製架台22を取り付け、収容枠21内に成形体１を収納することによって人工魚礁20と組み合わせて用いることができる。このように、本実施例の成形体１は、それ自身積み重ねて魚礁・増殖礁として用いるだけでなく、人工魚礁20と組み合わせて用いることができる。
【００１４】
このように、魚礁・増殖礁として用いる成形体１の効果を調査する目的で図５に示した収容枠21に成形体１を収納し、これを餌料ユニットとした人工魚礁20を試験礁を海底に試験的に沈設し、その試験礁の付着生物（大型無脊椎動物・海藻など）及び試験礁に蝟集する魚類の魚名、大きさ、尾数について目視観察した。また、餌料ユニットの潜入動物と蝟集魚類との関連性を調べる目的で、蝟集魚類の胃内容物を調査した。なお、この調査は、魚礁性が強く、観察尾数も多かったメバル等の根魚を対象とした。
【００１５】
この結果、試験礁で目視された大型脊椎動物・海藻は、設置後、２年３ケ月を経た試験礁が着生生物に覆われ、その着生被度は、８０〜９０％に達した。観察された大型脊椎動物・海藻は９門、２６種以上に及び、最も普通に見られたのは、カンザシゴカイの仲間、ムラサキガイ、イタボガキ科、フジツボの仲間、ホヤ綱の仲間であった。また、海藻類は概ね飼料ユニット周辺で観察され、緑藻綱では、高さが２〜４ｃｍのミルと高さ３ｃｍ程度のアナアオサが、褐藻綱ではホンダワラ科が１株とシオミドロが飼料ユニットの上面で観察されたほか、飼料ユニットから鋼製架台22および人工魚礁20の上面にかけて、イギス目が観察された。
【００１６】
魚類の蝟集状況については、１８種の蝟集魚が観察された。メバル、クロイソを始めとするメバル類は、鋼製架台22内部から餌料ユニット、さらにはその上層付近に蝟集していた。このほかクロダイ、イシダイ、ウマズラハギなどの大型の魚類が観察された。餌料ユニットの周辺にはアイナメ、アサヒアナハゼ、アカオビシマハゼなどの小型の魚類が観察された。
【００１７】
試験礁の餌料ユニットの一つの成形体１を試験的に引き揚げて、その潜入動物を分析した結果、表１で示すように、全体で１１門１２綱１２目４０科６０種（環形動物門１８種、軟体動物門１７種、節足動物門９種、脊椎動物門８種）計１，５２８個体、総重量２２０３ｇの生物が出現した。しかし、これは、成形体１に付着していたものも含まれることから、潜入動物を飽くまでも成形体１内で棲息し、そこから湧出するなどして蝟集魚の餌料となり得る種に規定し、全出現種から他者に恒久的に付着して生活する種（海綿動物、刺胞動物門、触手動物門、軟体動物門のうち足糸等で他者に付着する種、節足動物門のうちフジツボ類、脊索動物門）を除いたものを潜入動物として扱った場合、表１で示すように、７門８綱１９目３４科４５種、総個体数1228個体、総重量525.40ｇであった。
【００１８】
【表１】
0003543325.tif 000002
【００１９】
成形体１の潜入動物の出現種を環形動物、軟体動物、節足動物、その他の動物門に分類してみると、４動物門のうち、固体数では環形動物門が全体の45.5％を占め最多く、次いで節足動物門32.2％、軟体動物門12.4％、その多の動物門6.8％の順であり、最も多く出現したのは、環形動物門のフサゴカイ科Ｔerebella属の一種で２７２個体、次いで多く出現したのは節足動物門のアシナガエビ212個体、そのほか環形動物門のマダラウロコムシ８４個体、節足動物門のテッポウエビ属８４個体等であった。
【００２０】
湿重量でも環形動物門が全体の42.4％を占め最も多く、次いでその他の動物門39．４％、節足動物門10.4％、軟体動物門7.8％であった。最大重量は、紐形動物門の紐形動物門の一種（その他の動物門）で203.76ｇ、次いで環形動物門のＴerebella属の一種で148.6ｇ、その他の動物門アカムシ53.52ｇ、節足動物門のテッポウエビ属の一種で31.28ｇが、それぞれ湿重量の大きい種であった。
【００２１】
また、試験礁で釣獲された魚類のうち、メバル１０検体の胃内容物の分析を行った結果、３門１３種が出現した。このうち、上記成形体１の潜入動物として出現した種と同分類の環形動物門のゴカイ科の一種、多毛類の一種、節足動物門のニホンコツブムシ、抱卵亜目（エビ類）の一種及び短尾下目（カニ類）の一種等の５種出現した。
【００２２】
以上の試験結果からも明らかなように、成形体１はカキの貝殻２を骨材として用い、かつ、その表面に貝殻２が表れるようにブロック状に成形されているから、成形体１の表面には貝殻２による複雑な凹凸部３が形成され、さらに成形体１の内部には、貝殻２の隙間に空洞部４が形成され、これらの空洞部４によって成形体１の内部が複雑に入り組んだ迷路状とる。このため、表１で示すように成形体１にはゴカイ科、多毛綱、小型甲殻類等が多く棲息するとともに、成形体１にはホンダワラ等の褐藻綱やミル、アナアオサなどの緑藻綱が着生し、ゴカイ科、多毛綱、小型甲殻類等の棲息に適した環境となり、これらが増殖し、これを捕食するメバルなどの有用魚類が成形体１の周囲に効果的に蝟集させることができる。
【００２３】
以上詳述したとおり本実施例の成形体１は、骨材として用いる貝殻２をコンクリートペーストＰで固化して貝殻２が表面側に表れるようにブロック状に成形することにより、海藻類が着生したり餌料となる多毛類，小型甲殻類等の増殖しやすい環境となる。また、貝殻２をコンクリートペーストＰで固化することにより、これを単体で沈設する際、波浪エネルギーに対抗できる重量を確保でき、潮流が速い海域あるいは波浪の大きな海域でも長期に渡って設置することができる。
【００２４】
また、成形体１を人工魚礁20と組み合わせて用いる場合、貝殻２をコンクリートペーストＰで固化して成形体１をユニット化することによって、人工魚礁20への組み付けも容易であり、その取扱にも便利である。
【００２５】
また、成形体１の成形はコンクリート型枠10に貝殻２を充填し、その貝殻２をコンクリートペーストＰで固化して簡単に成形することができる。このように、成形体１はコンクリート型枠10によって成形されるが、通常、この種のコンクリート型枠10を用いるコンクリート成形体の製造、すなわち、コンクリート型枠10にコンクリートを充填して成形するのではなく、コンクリートペーストＰを吹き付けて骨材として貝殻２を用いた成形体１を成形することから、コンクリート型枠10によって成形される成形体１の表面には骨材となる貝殻２が露出し、餌料となるゴカイ科、多毛綱、小型甲殻類等が棲息に好適な成形体１が成型される。
【００２６】
また、コンクリートペーストＰを吹き付けて成形体１を成形する際、コンクリート型枠10を設置した状態では、その下部、特に裏面側はコンクリートペーストの吹き付けが困難となるが、その部分は、予め貝殻２を充填したコンクリート型枠10の下部をコンクリートペーストＰに浸漬させて貝殻２の下部側を固化することによって、コンクリートペーストＰを吹き付け作業も容易である。また、コンクリートペーストＰへの浸漬によって成形体１の下面にベース材13が一体化される。これにより成形体１の下部がベース材13によって補強されるとともに、成形体１を設置した際の安定性もよい。
【００２７】
以上、本発明について前記実施例に基づき説明したが、本発明は前記実施例に限定されるものではなく、本発明の要旨の範囲内で種々の変形実施が可能である。例えば前記実施例においては、固化剤としてコンクリートペーストを用いた例を示したが、これに限らず、モルタル、あるいはセメントペーストにも適用可能である。さらにまた、石膏に応用してもよい。また、貝殻はカキである必要はなく、ホタテ貝やアコヤ貝などのカキ以外の貝などに適用可能であることはいうまでもない。また前記実施例では、成形体を直方体状に形成した例を示したが、円柱状など、その形状は直方体状に限定されるものではない。
【００２８】
【発明の効果】
本発明の請求項１記載の漁場施設用コンクリート成形体の成形方法は、骨材として貝殻を用いた魚礁・増殖礁などに用いる漁場施設用コンクリート成形体の成形方法であって、枠体の底部に金属製の網体を張設したベース材と、このベース材の周縁から立ち上がる網体からなる側枠とで上面を開口したコンクリート型枠を形成し、このコンクリート型枠に貝殻を充填するとともに、コンクリート型枠を吊り上げてコンクリート型枠の下部を固化剤に浸漬させることによって、コンクリート型枠内の貝殻と前記ベース材とを一体化した後、残った貝殻に固化剤を吹き付けてコンクリート型枠に充填された前記貝殻を一体化し、コンクリート型枠の側枠を固化した貝殻から引き離すことによって、前記貝殻が表面側に表れるとともに、内部に前記貝殻の隙間によって多数の空洞部を有する多孔質状のコンクリート成形体を成形してなるものであるから、成形体の表面には貝殻が露出して凹凸部が形成されるので、この空間が魚類の生息域となるため、魚礁・増殖礁として機能することができるとともに、コンクリート成形体の下部がベース材によって補強され、コンクリート成形体を設置した際の安定性もよい。さらに、コンクリート型枠の下部及び下面を固化剤に浸漬させて固化させた後、固化剤を吹き付けることで、コンクリート成形体全体を強固に一体化できるとともに、固化剤の吹き付け作業も容易である。さらに、コンクリート成形体の下部がベース材によって補強され、コンクリート成形体を設置した際の安定性もよい。
【図面の簡単な説明】
【図１】本発明の一実施例を示す一部を省略した成形体の斜視図である。
【図２】同上一部を省略した成形体の断面図である。
【図３】同上コンクート型枠の斜視図である。
【図４】同上成形体の成形状態を示す説明図であり、図４（Ａ）は貝殻の充填状態、図４（Ｂ）はコンクリートペーストへの浸漬状態、図４（Ｃ）はコンクリートペーストの吹き付け状態、図４（Ｄ）はコンクート型枠の脱型状態をそれぞれ示している。
【図５】同上漁場施設用成形体の使用方法を示す概略図である。
【符号の説明】
１  成形体（漁場施設用コンクリート成形体）
２  貝殻
３  凹凸部
Ａ  空洞部
10  コンクリート型枠
13  ベース材
【図１】
0003543325.tif 000003
【図２】
0003543325.tif 000004
【図３】
0003543325.tif 000005
【図４】
0003543325.tif 000006
【図５】
0003543325.tif 000007